(57)【要約】【課題】特に化粧料の噴霧に適した噴霧器を提供することを課題とする。【解決手段】圧縮気体により化粧料等の塗布組成物を噴霧する噴霧器１である。この噴霧器１は、塗布組成物の噴出口であるノズル８を有する噴霧器本体３と、噴霧器本体３に圧縮気体を供給する気体供給タンク３０と、を備える。気体供給タンク３０は、圧縮気体を収容するタンク本体３１と、該タンク本体３１から噴霧器本体３に圧縮気体を供給する気体用ホース３２とを備える。タンク本体３１は、噴霧器本体３の使用者の腕に装着可能に構成されている。【選択図】図２
2015178085.tif 000002
【特許請求の範囲】
【請求項１】
圧縮気体により塗布組成物を噴霧する噴霧器であって、
前記塗布組成物の噴出口を有する噴霧器本体と、
前記噴霧器本体に圧縮気体を供給する気体供給タンクと、を備え、
前記気体供給タンクは、圧縮気体を収容するタンク本体と、該タンク本体から前記噴霧器本体に圧縮気体を供給する気体用ホースとを備え、
前記タンク本体は、前記噴霧器本体の使用者の腕に装着可能に構成されていることを特徴とする、噴霧器。
【請求項２】
前記噴霧器本体には、前記塗布組成物を供給する組成物供給タンクと、前記塗布組成物を前記噴出口から噴出させる操作部と、前記使用者の指先を挿入する挿入部とが設けられていることを特徴とする、請求項１に記載の噴霧器。
【請求項３】
前記噴霧器本体の上部に前記挿入部が設けられ、前記噴霧器本体の側部に前記操作部が設けられていることを特徴とする、請求項１又は２に記載の噴霧器。
【請求項４】
前記挿入部は、指先の挿入方向が前記噴出口の噴出方向とほぼ同一となるように配置されていることを特徴とする、請求項１〜３の何れかに記載の噴霧器。
【請求項５】
前記挿入部は、人差し指の指先を挿入可能な形状である、請求項１〜４の何れかに記載の噴霧器。
【請求項６】
前記タンク本体は、手首又は手首付近に装着可能に構成されていることを特徴とする、請求項１〜５の何れかに記載の噴霧器。
【請求項７】
前記気体用ホースは、噴霧器本体又はタンク本体の少なくとも一方に対して着脱可能に接続されていることを特徴とする、請求項１〜６の何れかに記載の噴霧器。
【請求項８】
前記タンク本体は、両端が近接するように湾曲形成されたタンク本体と、そのタンク本体に前記気体用ホースを接続するための結合金具とを備え、前記タンク本体が柔軟性のある素材で形成されていることを特徴とする、請求項１〜７の何れかに記載の噴霧器。
【請求項９】
前記タンク本体は、腕に装着可能な装着部材と、その装着部材に設けられたタンク本体とを備えていることを特徴とする、請求項１〜７の何れかに記載の噴霧器。
【請求項１０】
噴霧器本体に圧縮気体を供給する気体供給タンクであって、
圧縮気体を収容するタンク本体と、
前記タンク本体に接続される気体用ホースと、を備え、
前記タンク本体は、前記噴霧器本体の使用者の腕に装着可能に構成されている、気体供給タンク。
【請求項１１】
前記タンク本体は、両端が近接するように湾曲形成された湾曲部と、タンク本体に前記気体用ホースを接続するための結合金具とを備え、前記湾曲部が柔軟性のある素材で形成されていることを特徴とする、請求項１０に記載の気体供給タンク。
【請求項１２】
前記タンク本体は、前記使用者の腕に装着可能な装着部材を備えていることを特徴とする、請求項１０に記載の気体供給タンク。
【発明の詳細な説明】
【技術分野】
【０００１】
本発明は、取り扱いを容易にした噴霧器に関する。
【背景技術】
【０００２】
従来のメイクアップ化粧料の肌への典型的な塗布具として、手指、スポンジ、パフ、ブラシ等がある。
一方、近年では、メイクアップ化粧料を噴霧することも提案されている。
例えば、特許文献１には、化粧料噴霧器を用いた化粧方法が記載されている。
この化粧料噴霧器は、噴霧器本体であるエアブラシと、このエアブラシと気体用ホースコネクター間に介挿される中空状の気体用ホースと、エアブラシにエアを供給するコンプレッサーと、を備えている。エアブラシは、化粧料を噴出させるノズルと、化粧料を供給する化粧料入れカップと、化粧料の噴出量を調整する調整レバーと、エア搬送用の気体用ホースを差し込む気体用ホースコネクターとを備えている。
【先行技術文献】
【特許文献】
【０００３】
【特許文献１】特開２０１３−４２９３０号公報
【発明の概要】
【発明が解決しようとする課題】
【０００４】
特許文献１に記載される従来の化粧料噴霧器は、手で把持し、指で調整レバーを引くことにより化粧料を噴霧するタイプの、いわゆるガンタイプであり、化粧という繊細な行為を行う器具としては操作性に欠けるものであった。また、顔に向けるという性質からもガンタイプの器具は好ましいものとは言えなかった。
【０００５】
特に、前述した従来の技術では、化粧料の噴霧に際して、噴霧器本体を指先で保持するとともに、保持した指で調整レバーを操作しなければならないことから、噴霧器本体が、保持する手中で安定せず、操作が煩雑で、塗布方向がふらついてしまうという改善点が残されている。
【０００６】
また、前記噴霧器本体にコンプレッサーから圧縮気体を供給するために、これらを耐圧ホースによって接続しなければならないが、この耐圧ホースが、前記噴霧器本体の操作の抵抗となり、あるいは、使用者の腕の動きによっては、この腕に絡みついたりすることにより、円滑な使用を阻害することが想定される。
【０００７】
本発明は、上述した問題を解決しようとするものであり、取り扱いが容易で、化粧料等の噴霧に適した噴霧器を提供することを課題とする。
【課題を解決するための手段】
【０００８】
上記課題を解決する本発明は、
圧縮気体により塗布組成物を噴霧する噴霧器であって、
前記塗布組成物の噴出口を有する噴霧器本体と、
前記噴霧器本体に圧縮気体を供給する気体供給タンクと、を備え、
前記気体供給タンクは、圧縮気体を収容するタンク本体と、該タンク本体から前記噴霧器本体に圧縮気体を供給する気体用ホースとを備え、
前記タンク本体は、前記噴霧器本体の使用者の腕に装着可能に構成されていることを特徴とする。
【０００９】
本発明の噴霧器によれば、タンク本体が使用者の腕に装着可能に構成されているため、気体用ホースは、噴霧器本体とタンク本体との間を繋ぐ、ごく短い長さで済むことになる。したがって、従来のように気体用ホースが噴霧器本体の操作の抵抗となったり、使用者の腕に絡み付いたりすることを根本的に無くすことができる。
【００１０】
即ち、タンク本体を使用者の腕に装着可能にすることで、噴霧器全体を使用者の手や腕のまわりに集約させることが可能になる。これにより、塗布作業時の手や腕の動きを阻害することがなく、安定した操作性を確保することができる。
【００１１】
本発明の好ましい形態として、前記噴霧器本体には、前記塗布組成物を供給する組成物供給タンクと、前記塗布組成物を前記噴出口から噴出させる操作部と、前記使用者の指先を挿入する挿入部とが設けられていることを特徴とする。
【００１２】
このように、使用者の指先を挿入する挿入部が噴霧器本体に設けられていることにより、その挿入部に指を挿入した状態で、噴出口を有する噴霧器本体を操作することができるので操作性に優れる。特に、噴霧器本体の挿入部に指先を挿入して装着するので、噴霧器本体を直接指先に装着した形態となり、これにより、指先を動かす絶妙な感覚で操作することが可能になる。
また、また、このように噴霧器本体を指先に装着可能にすることで、噴霧器全体を使用者の手や腕のまわりに集約させることができる。この結果、気体用ホースによって塗布作業時の手や腕の動きを阻害されることなく、安定した操作性を確保することができる。
【００１３】
本発明の好ましい形態では、前記噴霧器本体の上部に前記挿入部が設けられ、前記噴霧器本体の側部に前記操作部が設けられていることを特徴とする。
このような構成とすることにより、噴霧器本体をコンパクトにすることができる上に、より操作性に優れた構成とすることができる。
【００１４】
本発明の好ましい形態として、前記挿入部は、指先の挿入方向が前記噴出口の噴出方向とほぼ同一となるように配置されていることを特徴とする。
このような構成とすることにより、指先で噴霧組成物を塗布しているような繊細な感覚で、噴霧器を操作することができる。
【００１５】
本発明の好ましい形態として、前記挿入部は、人差し指の指先を挿入可能な形状であることを特徴とする。
挿入部をこのような形態にすることにより、噴霧器本体を保持しやすく、操作性を格段に向上させることができる。
【００１６】
また、このように使用者の人差し指の指先に装着されると、使用者の親指が、噴霧器本体の側部に設けられている操作部に位置させられるとともに、噴霧器本体の側部で、操作部と反対側に、使用者の中指が位置させられる。
この際、人差し指が挿入部内に挿入されることにより、噴霧器本体が使用者の手に安定した状態で装着される。さらに、使用者の中指が、噴霧器本体の側部に沿わされることにより、前述した安定性がさらに高められる。
【００１７】
そして、使用者は、親指によって操作部を押圧操作することによって塗布組成物を噴霧対象に向けて噴霧することができる。この操作部の押圧操作に際して、噴霧器本体の、操作部の反対側の側部に使用者の中指が沿わされていることから、操作部の操作力が中指によって支持されて、噴霧器本体のブレが抑制される。
【００１８】
したがって、安定した装着状態が実現できるばかりでなく、塗布組成物の噴霧操作時における噴霧器本体のブレが抑制されることにより、安定した操作性が確保され、化粧料等の塗布組成物のきめ細かな塗布を実現することができる。
【００１９】
本発明の好ましい形態として、前記タンク本体は、手首又は手首付近に装着可能に構成されていることを特徴とする。
このような形態とすることにより、塗布対象に向けて噴霧器本体を繊細に動かす際に、タンク本体を噴霧器本体の動きに追随させることができるため、スムーズな操作性を実現できる。
【００２０】
本発明の好ましい形態として、前記気体用ホースは、噴霧器本体又はタンク本体の少なくとも一方に対して着脱可能に接続されていることを特徴とする。
このように構成することで、使用済の気体供給タンクの交換作業やタンク本体のみの交換作業等を容易にすることが可能になる。
【００２１】
本発明の好ましい形態として、前記タンク本体は、両端が近接するように湾曲形成されたタンク本体と、そのタンク本体に前記気体用ホースを接続するための結合金具とを備え、前記タンク本体が柔軟性のある素材で形成されていることを特徴とする。
タンク本体をこのように構成した場合、装着手段を別途設けることなく、タンク本体をシンプルな構造として、腕や手首等に装着する操作を容易にすることができる。
【００２２】
本発明の好ましい形態として、前記タンク本体は、腕に装着可能な装着部材と、その装着部材に設けられたタンク本体とを備えていることを特徴とする。
タンク本体をこのように構成しても、タンク本体をシンプルな構造として、腕や手首等に装着する操作を容易にすることができる。
【００２３】
本発明は、噴霧器本体に圧縮気体を供給する気体供給タンクであって、
圧縮気体を収容するタンク本体と、
前記タンク本体に接続される気体用ホースと、を備え、
前記タンク本体は、前記噴霧器本体の使用者の腕に装着可能に構成されていることを特徴とする。
【００２４】
本発明において、前記タンク本体は、両端が近接するように湾曲形成された湾曲部と、タンク本体に前記気体用ホースを接続するための結合金具とを備え、前記湾曲部が柔軟性のある素材で形成されていることが好ましい。また、前記タンク本体は、前記使用者の腕に装着可能な装着部材を備えていることが好ましい。
【発明の効果】
【００２５】
本発明の噴霧器は、例えば、化粧のような繊細な動きが必要とされる場面において、操作性に優れる。また、本発明の噴霧器は、全体がシンプルな構造で、指先から塗布組成物を噴霧する柔らかなイメージを有する。
【図面の簡単な説明】
【００２６】
【図１】本発明の実施形態１に係る噴霧器の斜視図である。
【図２】本発明の実施形態１に係る噴霧器の使用態様を示す斜視図である。
【図３】本発明の実施形態１に係る噴霧器の要部の断面図である。
【図４】本発明の実施形態２に係る噴霧器の使用態様を示す斜視図である。
【発明を実施するための形態】
【００２７】
＜実施形態１＞
以下、本発明の噴霧器の実施形態１について、図１ないし図３を参照しながら詳細に説明する。
実施形態１の噴霧器１は、化粧料を塗布するための噴霧器である。この噴霧器１は、化粧料の噴出口（ノズル）８を有する噴霧器本体３と、噴霧器本体３に圧縮気体を供給する気体供給タンク３０とを備える。
【００２８】
気体供給タンク３０は、圧縮気体を収容するタンク本体３１と、タンク本体３１内の圧縮気体を噴霧器本体２に供給する中空状の気体用ホース３２とを有している。タンク本体３１と気体用ホース３２の接続部には、用途が限定されないフック３４が設けられている。タンク本体３１は略Ｃ形状に湾曲形成された湾曲部３０ａを有し、図２に示すように、手首等に装着可能に構成されている。
【００２９】
タンク本体３１の材質としては、軽金属、炭素繊維等を含む強化プラスチック、硬質ゴム若しくはそれらの合成材料など、種々の材料で制作することができる。このタンク本体３１を手首等に装着する構成とする場合には、少し柔軟性のある材料で形成することが好ましい。気体用ホース３１の一端は結合金具３６を介してタンク本体３１に着脱可能に連結されている。結合金具３６はキーボタン３５を押圧操作することで、結合を解除することができる。
【００３０】
本実施形態の噴霧器１は、化粧料が充填される組成物供給タンク（化粧料タンクと称する）２と、この化粧料タンク２が上部に装着され、この化粧料タンク２から供給される化粧料を噴霧する噴霧器本体３と、この噴霧器本体３に装着され、前記化粧料を噴霧するための圧縮気体を供給する気体供給タンク３０とを備えている。
そして、噴霧器本体３には、気体用ホース３２の結合金具３７が接続されるカプラー５と、化粧料の噴霧量を調整する調整レバー６ａを有する操作部６と、使用者の指先が、噴霧器本体３の後方から挿入される挿入部７とが設けられ、調整レバー６ａが、噴霧器本体３の側部に設けられているとともに、挿入部７が、噴霧器本体３の上部に設けられた構成となっている。
【００３１】
噴霧器本体３は、図２に示すように、その中心軸線に沿った貫通孔３ａを備えており、この貫通孔３ａ内には、その先端部（図中の左側）に、化粧料を霧状にするノズル８と、貫通孔３ａの長さ方向に移動させられることにより、ノズル８の開度を調整するニードル弁９と、このニードル弁９を、ノズル８を閉塞する位置に向けて付勢するリターンスプリング１０と、が設けられている。
【００３２】
また、貫通孔３ａの後部は、その内径が大きく形成されて、圧縮気体のアキュムレータＡとなされているとともに、このアキュムレータＡ内に、前記リターンスプリング１０が内装されている。
【００３３】
貫通孔３ａの後端部には、この貫通孔３ａの後端部を閉塞して前記アキュムレータＡを形成するカプラー５が取り付けられており、このカプラー５とニードル弁９との間に、リターンスプリング１０が圧縮状態で介装されている。
【００３４】
さらに、噴霧器本体３の中間部には、化粧料タンク２が装着される装着口３ｂが上方へ向けて開口された状態で形成されており、この装着口３ｂが、噴霧器本体３内に形成されている化粧料供給路３ｃを経て、ノズル８の内部へ連通させられている。
【００３５】
一方、ニードル弁９の略中間部には、その軸線と直交するようにカムフォロアー１１が突設されており、このカムフォロアー１１に、調整レバー６に一体に設けられて、噴霧器本体３内に摺動自在に嵌挿されたカム１２が係合させられている。
【００３６】
そして、調整レバー６ａを噴霧器本体３へ向けて押圧した際に、カム１２とカムフォロアー１１との協働により、ニードル弁９が、リターンスプリング１０の付勢力に抗して移動させられて、このニードル弁９によるノズル８の開度が調整されるようになっている。また、調整レバー６ａへの押圧力を解除することにより、ニードル弁９がノズル８を閉止する位置に移動させられるとともに、調整レバー６ａが元の位置に復帰させられるようになっている。
【００３７】
気体供給タンクの結合金具３７は、噴霧器本体３に、カプラー５を介して接続されるようになされており、接続された状態において、タンク本体３１からアキュムレータＡへ圧縮気体（例えば空気）が送り込まれ、調整レバー６が操作されてノズル８が開放された際に、圧縮気体が貫通孔３ａを経てノズル８へ送り込まれるようになっている。
【００３８】
このノズル８においては、前述したように圧縮気体が送り込まれることにより、その内部に負圧が発生させられ、その負圧により、ノズル８に連通させられている化粧料供給路３ｃから化粧料が吸引されるとともに、この化粧料が圧縮気体の噴射力によって霧状に粉砕されつつ噴霧されるようになっている。
【００３９】
そして、前記カプラー５は、本実施形態においては、前記貫通孔３ａと同軸上に装着されており、また、前記気体用ホース３２の結合金具３７が円筒状に形成されて、前記カプラー５に同軸上に接続されるようになっている。
【００４０】
一方、挿入部７は、後方が開放された略円筒状で、後方の内径が若干大きくなるように形成されて、使用者の、例えば、人差し指の指先が円滑に挿入されるようになっている。
【００４１】
この挿入部７は、図２に示すように、ノズル８の噴出方向に向けて、人差し指Ｐの指先を挿入することが可能な形状である。図示例の挿入部７は、人差し指の第１関節あたりまでの指先を挿入可能な空所を有するように形成されている。さらに、指先の腹の部分を支える支え片７ａが設けられている。なお、挿入部７には、挿入部７内において指先への通気性を良くするための通気孔７ｂが複数設けられている。
【００４２】
また、噴霧器本体２には、ノズル８内に化粧料を供給する化粧料タンク２が着脱可能に設けられている。化粧料タンク２は、この実施形態では、化粧料を収容する本体部２１と、その蓋２２と、本体部２１の下部に設けられた装着部２３とを有している。装着部２３は化粧料の吐出口を兼ねていて、噴霧器本体２の装着口３ｂに液蜜状態に装着される。
【００４３】
本実施形態においては、化粧料タンク２の装着部２３の吐出口は、破断可能なフィルム（図示せず）で閉塞されており、装着口３ｂへの装着時に、装着口３ｂ内に設けられた突起（図示せず）によってフィルムが破断されるようになっている。
【００４４】
操作部６は、親指Ｏによる押圧操作によって、圧縮気体を供給する調整レバー６ａを有している。前記挿入部７は噴霧器本体１の上部に設けられ、操作部６は噴霧器本体３の側部に設けられている。これにより、図２に示すように、人差し指Ｐの指先と親指Ｏの指先とが近接する形態で、かつ、親指Ｏと中指Ｑが相対する位置にある状態で、親指の指先で調整レバー６ａを安定して押圧操作できるように配慮されている。
【００４５】
調整レバー６ａには、図１に示すように、親指の指先の腹の部分が密着するように配慮した凹面６ｂが設けられている。このような形態とすることにより、人差し指と親指で噴霧器本体３を安定的に保持することができ、簡単な操作で、化粧料を噴出させることができる。
【００４６】
次いで、このように形成された本実施形態に係る噴霧器１の使用方法について説明する。
【００４７】
まず、化粧料が充填された化粧料タンク２を噴霧器本体３の装着口３ｂに装着するとともに、前記カプラー５に、結合金具３７を介して気体用ホース３２を装着する。気体用ホース３２には、結合金具３６を介してタンク本体３１を接続する。これによって、噴霧器本体３とタンク本体３１と気体用ホース３２とが組み上げられる。
【００４８】
このようにして組み上げられた噴霧器１は、図２に示すように、その挿入部７に、例えば、使用者が人差し指Ｐの指先を挿入することによって、使用者に装着される。
【００４９】
この状態において、使用者がそれぞれの指を、噴霧器本体３を保持するように動かすと、自然に、使用者の親指Ｏが前記調整レバー６ａに接触させられ、また、中指Ｑが、噴霧器本体３の、前記調整レバー６ａと反対側の側部に接触させられ、さらに、気体供給タンク３０のタンク本体３１が使用者の手首に装着されることで、この噴霧器１全体が使用者の手に保持される。
【００５０】
したがって、噴霧器１は、その噴霧器本体３が、挿入部７によって人差し指Ｐまわりに嵌合され、また、噴霧器本体３の両側部と上部との３点において支持され、さらには、タンク本体３１、気体用ホース３２が、親指Ｏと人差し指Ｐと手首５５の間において、使用者の手の上に載せられるようにして支持される。この結果、噴霧器１全体が使用者によって安定した状態に保持される。
【００５１】
そして、化粧料の噴霧、すなわち、化粧料の塗布は、親指Ｏを動かして、調整レバー６ａを噴霧器本体３へ向けて押すことにより行なわれる。
このような親指Ｏによる調整レバー６ａの操作時に、その押下力が、噴霧器本体３の反対側に接触させられている中指Ｑによって支持されることとなり、塗布操作時における噴霧器１のブレが抑制される。
【００５２】
このように、本実施形態に係わる噴霧器１は、使用者の手に装着された状態において安定した状態に保持され、かつ、塗布時においてもそのブレが抑制される。
【００５３】
したがって、安定した塗布作業を実現して、細かく良好な化粧を施すことができる。
しかも、この噴霧器１は、その全てが使用者の手のまわりに集約されて、使用者の手の動きを阻害するものがなく、その動きが円滑なものとなり、この点からも、良好な化粧を施すことが可能である。
【００５４】
本実施形態によれば、タンク本体が使用者の腕に装着可能に構成されているため、気体用ホースは、噴霧器本体とタンク本体との間を繋ぐ、ごく短い長さで済むことになる。したがって、従来のように気体用ホースが噴霧器本体の操作の抵抗となったり、使用者の腕に絡み付いたりすることを根本的に無くすことができる。
【００５５】
即ち、タンク本体を使用者の腕に装着可能にすることで、噴霧器全体を使用者の手や腕のまわりに集約させることが可能になる。これにより、塗布作業時の手や腕の動きを阻害することがなく、安定した操作性を確保することができる。
【００５６】
また、噴霧器１は、使用者の指先を挿入する挿入部７が設けられていることにより、その挿入部７に指先を挿入した状態で、ノズル８を有する噴霧器本体３を操作することができるので、極めて操作性に優れる。特に、噴霧器本体３の挿入部７に指先を挿入して装着するので、噴霧器本体３を直接指先に装着した形態となり、これにより、顔や身体への噴霧による化粧を、指先を動かす絶妙な感覚で行うことが可能になる。
【００５７】
また、前記挿入部７は、指先の挿入方向がノズル８の噴出方向とほぼ同一となるように配置された構成とすることにより、指先で化粧料を塗布しているような繊細な感覚で、噴霧器１を操作することができる。
【００５８】
また、前記挿入部７は、人差し指の指先を挿入可能な形状としたことにより、噴霧器本体３を指で保持しやすく、これにより、微細な操作性を格段に向上させることができる。
【００５９】
気体供給タンク３０は、圧縮気体を収容するタンク本体３１と、該タンク本体３１から噴霧器本体２に圧縮気体を供給する気体用ホース３２と、を備え、タンク本体３１自体は、手首５５付近に装着可能な形状である。このような形態とすることにより、塗布対象に向けて噴霧器本体２を繊細に動かす際に、タンク本体３１を噴霧器本体３の動きに追随させることができるため、スムーズな操作性を実現できる。
【００６０】
また、前記気体用ホース３２は、噴霧器本体３又はタンク本体３１の少なくとも一方に対して着脱可能に接続されていることで、使用済の気体供給タンク３０の交換作業やタンク本体３１のみの交換作業等を容易にすることが可能になる。
【００６１】
また、前記タンク本体３１は、両端３０ｂ、３０ｃが近接するように湾曲形成されたタンク本体３１と、そのタンク本体３１に前記気体用ホース３２を接続するための結合金具３４とを備え、前記タンク本体３１が柔軟性のある素材で形成されているので、装着手段を別途設けることなく、タンク本体３１をシンプルな構造として、腕や手首５５等に装着する操作を容易にすることができる。
【００６２】
＜実施形態２＞
図４は、本発明の実施形態２に係る使用形態を示す斜視図である。なお、同図において、実施形態１と基本的に同一の構成要素については同一の符号を付してその説明を簡略化する。
【００６３】
この実施形態２の噴霧器１においては、タンク本体３１が、手首５５や腕に装着可能な装着部材３８と、その装着部材３８に設けられた二つの単位タンク３１１、３１２とを備えている構成としたものである。
【００６４】
装着部材３８は、その内径を拡大及び縮小可能な伸縮在な環状ベルトで構成されている。単位タンク３１１、３１２は、それぞれが中空円柱状のタンクで、二つ並行に並べて設けられている。
ここで、装着部材３８としては、環状ベルトに限らず、留め金具等を備えた市販のバンド等も使用可能である。
【００６５】
タンク本体３１をこのように構成しても、タンク本体３１をシンプルな構造として、腕や手首５５等に装着する操作を容易にすることができる。
【００６６】
なお、上記実施形態では、タンク本体３１を手首に仮装着可能な例を示したが、本発明はこれに限定されることなく、例えば、気体用ホース３２を長くして、手首以外の腕部分に装着可能な構成としても良い。
【００６７】
また、以上の実施形態では、化粧用噴霧器について説明したが、本発明はこれに限定されることなく、化粧用以外の噴霧器にも適用することができる。例えば絵画に用いる絵具、塗料など、種々の塗布組成物の噴霧器にも適用することができる。
【産業上の利用可能性】
【００６８】
本発明は、化粧料の噴霧のほか、様々な塗布組成物の噴霧に応用できる。
【符号の説明】
【００６９】
１  噴霧器
２  化粧料タンク（組成物供給タンク）
３  噴霧器本体
３ａ  貫通孔
３ｂ  装着口
３ｃ  化粧料供給路
３０  気体供給タンク
３１  タンク本体
３２  気体用ホース
５  カプラー
６  操作部
６ａ  調整レバー
６ｂ  凹面
７  挿入部
８  ノズル
９  ニードル弁
１０  リターンスプリング
１１  カムフォロアー
１２  カム
Ａ  アキュムレータ
Ｏ  親指
Ｐ  人差し指
Ｑ  中指
Ｒ  薬指
Ｓ  小指
【図１】
2015178085.tif 000003
【図２】
2015178085.tif 000004
【図３】
2015178085.tif 000005
【図４】
2015178085.tif 000006